(57)【要約】【課題】回転ドラム内で洗濯、すすぎ、脱水などの各行程を逐次制御するドラム式洗濯機において、冬期などの冷たい水で洗濯を行う場合、衣類の温度を所定の温度まで効率的に上げて、洗剤の溶け残りをなくし、衣類の汚れ落ちをよくするとともに、イニシャルコストとランニングコストを低減する。【解決手段】略水平方向または略傾斜方向に回転軸を有する回転ドラム６を水槽２１内に内包し、水槽２１の開口部にドア５を設け、水槽２１内に洗濯用給水弁１０により給水するとともに、水槽２１内の水を排水ポンプ１３により排水し、水槽２１内に送風する送風機１５にヒータ１７を連通し、制御装置２０により送風機１５、ヒータ１７などを制御し洗濯、すすぎ、脱水の一連の行程を逐次制御する。制御装置２０は、洗濯行程にて、送風機１５とヒータ１７を駆動し、水槽２１内に温風を送風するよう構成する。【選択図】  図１
2004201775.tif 000002
【特許請求の範囲】
【請求項１】
略水平方向または略傾斜方向に回転軸を有する回転ドラムと、前記回転ドラムを内包する水槽と、前記水槽の開口部に設けたドアと、前記水槽内に給水する給水手段と、前記水槽内の水を排水する排水手段と、前記水槽内に送風する送風手段と、前記送風手段と連通した加熱手段と、前記送風手段、加熱手段などを制御し洗濯、すすぎ、脱水の一連の行程を逐次制御する制御手段とを備え、前記制御手段は、洗濯行程にて、前記送風手段と加熱手段を駆動し、前記水槽内に温風を送風するよう構成したドラム式洗濯機。
【請求項２】
送風手段は、吸い込み口を水槽の水位より上に設けた請求項１記載のドラム式洗濯機。
【請求項３】
送風手段は、吸い込み口を大気に開放した請求項１記載のドラム式洗濯機。
【請求項４】
水槽内に送風する温風の温度を任意に設定可能とした請求項１〜３のいずれか１項に記載のドラム式洗濯機。
【請求項５】
水槽内に給水する水温が所定の温度以下のとき、水槽に温風を送風するようにした請求項１〜３のいずれか１項に記載のドラム式洗濯機。
【発明の詳細な説明】
【０００１】
【発明の属する技術分野】
本発明は、略水平方向または略傾斜方向に回転自在に配設した回転ドラム内で洗濯、すすぎ、脱水などの各行程を逐次制御するドラム式洗濯機に関するものである。
【０００２】
【従来の技術】
従来、この種のドラム式洗濯機は図４に示すように構成していた。以下、その構成について説明する。なお、図４は乾燥機能を合わせもつものである。
【０００３】
図４に示すように、筐体１は、内部に複数のサスペンション２とダンパー３で水槽４を揺動自在に支持し、水槽４の開口部をドア５により開閉し、水槽４内に回転ドラム６を回転自在に配設している。この回転ドラム６に多数の通水孔７とバッフル８を設け、回転ドラム６をモータ９により駆動するようにしている。筐体１に洗濯用給水弁１０と乾燥用給水弁１１とを設け、水槽４に設けた排水口１２と排水ポンプ１３とを排水経路１４により連通している。
【０００４】
送風機１５は水槽４内に吹き出し口１６を介して送風するもので、この送風機１６と連通したヒータ１７を設けている。熱交換器１８は水槽４内と送風機１６とを連通し、一連の乾燥循環経路を構成している。乾燥用給水弁１０から給水ホースを通して熱交換器１８内に通水するよう構成している。
【０００５】
制御装置１９は、マイクロコンピュータなどにより構成し、モータ９、洗濯用給水弁１０、乾燥用給水弁１１、排水ポンプ１３、送風機１５、ヒータ１７などを制御し、洗濯、すすぎ、脱水の一連の行程を逐次制御するよう構成している（例えば、特許文献１参照）。
【０００６】
上記構成において動作を説明する。回転ドラム６内に衣類（洗濯物）を投入し、洗濯行程を開始すると、洗濯用給水弁１０を開き、水槽４内に所定の水位まで給水する。つぎに、回転ドラム６を約５０ｒ／ｍｉｎで駆動し、投入された衣類をバッフル８によって持ち上げては落下を繰り返し、洗剤水と水面に落下したときの衝撃力によって洗浄する。
【０００７】
洗濯行程が終わると、排水ポンプ１３を駆動し、洗濯水を排水経路１４を通して排水する。排水が終わると回転ドラム６を約１０００ｒ／ｍｉｎで高速回転し脱水を行う。さらに脱水行程が終了すると乾燥行程へ移行する。
【０００８】
乾燥行程では、洗濯行程と同様に回転ドラム６を駆動し、回転ドラム６内の衣類を撹拌しながら、送風機１５とヒータ１７によって加熱された温風を回転ドラム６内の衣類に吹き出し口１６から吹き付け、衣類内に含まれた水分を加熱し蒸発させる。さらに、蒸気を含む高温の空気は熱交換器１８内に送られ、乾燥用給水弁１１から熱交換器１８内に供給された冷却水と混合し、熱交換を行い冷却除湿される。除湿された空気はヒータ１７によって再び加熱され、回転ドラム６内に送られ衣類の乾燥を行う。
【０００９】
【特許文献１】
特開平９−２１５８９３号公報
【００１０】
【発明が解決しようとする課題】
このような従来の構成では、冬期に洗濯を行う場合など、冷たい水道水で行わなければならないとき、洗剤が溶けにくくなったり、衣類の汚れが落ちにくくなっていた。この問題を解決するために、洗濯用の温水ヒータを設けた洗濯機もあるが、その分イニシャルコストが高くなり、衣類の温度だけでなく筐体の温度が同時に上がり、所定の水の温度に達するのに時間がかかり、ランニングコストも高くなっていた。
【００１１】
この解決策として、送風機１５とヒータ１７によって加熱された温風を回転ドラム６内に送風し、回転ドラム６内を加熱するようにした場合、送風機１５の吸い込み口を水槽４の下部に設けており、洗濯行程では水没するため、洗濯行程にて送風することができなかった。
【００１２】
本発明は上記従来の課題を解決するもので、冬期などの冷たい水で洗濯を行う場合、衣類の温度を所定の温度まで効率的に上げて、洗剤の溶け残りをなくし、衣類の汚れ落ちをよくするとともに、イニシャルコストとランニングコストを低減することを目的としている。
【００１３】
【課題を解決するための手段】
本発明は上記目的を達成するために、略水平方向または略傾斜方向に回転軸を有する回転ドラムを水槽内に内包し、水槽の開口部にドアを設け、水槽内に給水手段により給水するとともに、水槽内の水を排水手段により排水し、水槽内に送風する送風手段に加熱手段を連通し、制御手段により送風手段、加熱手段などを制御し洗濯、すすぎ、脱水の一連の行程を逐次制御するよう構成し、制御手段は、洗濯行程にて、送風手段と加熱手段を駆動し、水槽内に温風を送風するよう構成したものである。
【００１４】
これにより、冬期などの冷たい水で洗濯を行う場合、水槽内に温風を送風することで、衣類の温度を所定の温度まで効率的に上げることができ、洗剤の溶け残りをなくし、衣類の汚れ落ちをよくすることができる。また、洗濯用の温水ヒータを別に設ける必要もなく、イニシャルコストを低減することができ、さらに、衣類に直接温風を吹き付けることにより、筐体や給水に熱量を必要以上に奪われることがなく、ランニングコストを低減することができる。
【００１５】
【発明の実施の形態】
本発明の請求項１に記載の発明は、略水平方向または略傾斜方向に回転軸を有する回転ドラムと、前記回転ドラムを内包する水槽と、前記水槽の開口部に設けたドアと、前記水槽内に給水する給水手段と、前記水槽内の水を排水する排水手段と、前記水槽内に送風する送風手段と、前記送風手段と連通した加熱手段と、前記送風手段、加熱手段などを制御し洗濯、すすぎ、脱水の一連の行程を逐次制御する制御手段とを備え、前記制御手段は、洗濯行程にて、前記送風手段と加熱手段を駆動し、前記水槽内に温風を送風するよう構成したものであり、冬期などの冷たい水で洗濯を行う場合、水槽内に温風を送風することで、衣類の温度を所定の温度まで効率的に上げることができ、洗剤の溶け残りをなくし、衣類の汚れ落ちをよくすることができる。また、洗濯用の温水ヒータを別に設ける必要もなく、イニシャルコストを低減することができ、さらに、衣類に直接温風を吹き付けることにより、筐体や給水に熱量を必要以上に奪われることがなく、ランニングコストを低減することができる。
【００１６】
請求項２に記載の発明は、上記請求項１に記載の発明において、送風手段は、吸い込み口を水槽の水位より上に設けたものであり、送風手段の吸い込み口が洗濯水に水没することがなく、洗濯と同時に送風することができ、温風を洗濯水を含んだ衣類に直接吹きつけ、衣類の温度を上げることができて、洗剤の溶けや汚れ落ちをよくすることができ、信頼性の高いドラム式洗濯機を提供することができる。
【００１７】
請求項３に記載の発明は、上記請求項１に記載の発明において、送風手段は、吸い込み口を大気に開放したものであり、送風手段の吸い込み口が洗濯水に水没することがなく、循環送風と比較して管路抵抗を少なくでき、大風量を洗濯と同時に送風することができる。これにより、衣類の温度を短時間で上げることができ、洗剤の溶け残りがなく、汚れ落ちのよい信頼性の高いドラム式洗濯機を提供することができる。
【００１８】
請求項４に記載の発明は、上記請求項１〜３に記載の発明において、水槽内に送風する温風の温度を任意に設定可能としたものであり、衣類の繊維の種類や汚れ程度に応じた衣類温度を設定することによって、衣類の繊維の質や量に応じたきめの細かい洗濯を行なうことができる。これにより、衣類を熱で傷めることなく、効果的に温度を上げ、汚れ落ちのよい、信頼性の高いドラム式洗濯機を提供することができる。
【００１９】
請求項５に記載の発明は、上記請求項１〜３に記載の発明において、水槽内に給水する水温が所定の温度以下のとき、水槽に温風を送風するようにしたものであり、冬期でも汚れ落ちのよい、経済的で使い勝手のよいドラム式洗濯機を提供することができ、水温が所定の温度以上のときは温風を送風しないので、ランニングコストを低減することができる。
【００２０】
【実施例】
以下、本発明の実施例について、図面を参照しながら説明する。なお、従来例と同じ構成のものは同一符号を付して説明を省略する。
【００２１】
（実施例１）
図１に示すように、制御装置（制御手段）２０は、マイクロコンピュータなどにより構成し、モータ９、洗濯用給水弁（給水手段）１０、乾燥用給水弁１１、排水ポンプ（排水手段）１３、送風機（送風手段）１５、ヒータ（加熱手段）１７などを制御し、洗濯、すすぎ、脱水の一連の行程を逐次制御するよう構成し、洗濯行程にて、送風機１５とヒータ１７を駆動し、水槽４内に温風を送風するよう構成している。
【００２２】
水槽２１は壁面に送風機１５の吸い込み口２２を開口しており、この吸い込み口２２を水槽２１の洗濯水位Ｐより上に設けている。
【００２３】
上記構成において動作を説明する。回転ドラム６内に衣類（洗濯物）を投入し、洗濯行程を開始すると、洗濯用給水弁１０を開き、水槽２１内に給水を開始する。給水量は水位検知手段（図示せず）によって検知し、所定の水位Ｐになると給水を停止する。つぎに、回転ドラム６を約３０〜５０ｒ／ｍｉｎで駆動し、衣類を撹拌し、洗濯水を満遍なく衣類に吸水させる。
【００２４】
回転ドラム６内の衣類を撹拌しながら、制御装置２０は送風機１５およびヒータ１７を駆動し、水槽２１内に温風を吹き込む。加熱された温風は、回転ドラム６内の衣類に吹き出し口１６から直接吹き付けられ、衣類および衣類内に含まれた水分を加熱する。加熱され衣類に含まれた洗濯水は、より高濃度の洗濯水となり、皮脂汚れなどの汚れを溶かし、洗い落ちやすくすることができる。
【００２５】
ここで、送風機１５の吸い込み口２２を水槽２１の洗濯水位Ｐより上に設けているので、吸い込み口２０が洗濯水に水没することなく、洗濯と同時に送風することができる。
【００２６】
このように本実施例によれば、洗濯行程にて、送風機１５とヒータ１７を駆動し、水槽２１内に温風を送風するよう構成したので、冬期などの冷たい水で洗濯を行う場合、水槽２１内に温風を送風することで、衣類の温度を所定の温度まで効率的に上げることができ、洗剤の溶け残りをなくし、衣類の汚れ落ちをよくすることができる。また、洗濯用の温水ヒータを別に設ける必要もなく、イニシャルコストを低減することができ、さらに、衣類に直接温風を吹き付けることにより、筐体や給水に熱量を必要以上に奪われることがなく、ランニングコストを低減することができる。
【００２７】
また、送風機１５の吸い込み口２２を洗濯水位Ｐより上に設けているので、送風機１５の吸い込み口２２が洗濯水に水没することがなく、洗濯と同時に送風することができ、これによって、温風を洗濯水を含んだ衣類に直接吹きつけることができ、衣類の温度を効果的に上げることにより、洗剤の溶けや汚れ落ちをよくすることができる。
【００２８】
（実施例２）
図２に示すように、送風機１５の吸い込み口２３は、水槽２４の壁面に開口せず、大気に開放している。他の構成は上記実施例１と同じであり、同一符号を付して説明を省略する。
【００２９】
上記構成において動作を説明する。回転ドラム６内に衣類（洗濯物）を投入し、洗濯行程を開始すると、洗濯用給水弁１０を開き、水槽２４内に給水を開始する。給水量は水位検知手段（図示せず）によって検知し、所定の水位Ｐになると給水を停止する。つぎに、回転ドラム６を約３０〜５０ｒ／ｍｉｎで駆動し、衣類を撹拌し、洗濯水を満遍なく衣類に吸水させる。
【００３０】
回転ドラム６内の衣類を撹拌しながら、制御装置２０は送風機１５およびヒータ１７を駆動し、水槽２４内に温風を吹き込む。このとき、送風機１５の吸い込み口２３は大気に開放されており、洗濯水に水没することがなく、上記実施例１に示す循環送風と比較し管路抵抗も少なく、洗濯と同時に大きな風量の温風を送風することができる。
【００３１】
これによって、温風が回転ドラム６内の衣類に吹き出し口１６から、回転ドラム６内の衣類に直接吹き付けられ、衣類の温度を短時間で上げることができ、洗剤の溶けや汚れ落ちをよくすることができる。
【００３２】
このように本実施例によれば、送風機１５の吸い込み口２３を大気に開放したので、送風機１５の吸い込み口２３が洗濯水に水没することがなく、循環送風と比較して管路抵抗を少なくでき、大風量を洗濯と同時に送風することができる。
【００３３】
（実施例３）
図１に示す制御装置（制御手段）２０は、水槽２１内に送風する温風の温度を任意に設定可能としている。他の構成は上記実施例１と同じである。
【００３４】
上記構成において動作を説明する。回転ドラム６内に衣類（洗濯物）を投入し、洗濯行程を開始すると、洗濯用給水弁１０を開き、水槽２１内に所定の水位まで給水する。つぎに、回転ドラム６を約３０〜５０ｒ／ｍｉｎで駆動し、衣類を撹拌し、洗濯水を満遍なく衣類に吸水させる。
【００３５】
回転ドラム６内の衣類を撹拌しながら、制御装置２０は送風機１５およびヒータ１７を駆動し、送風を加熱する。加熱された温風は、回転ドラム６内の衣類に吹き出し口１６から吹き付けられ、衣類および衣類内に含まれた水分を直接加熱する。衣類に含まれた洗濯水は加熱されることにより、より高濃度の洗濯水となり、皮脂汚れなどの汚れを溶かし、洗い落ちやすくすることができる。ここで、制御装置２０は洗濯のコース、または衣類の量に応じて、最適な温風温度を設定し、衣類の繊維の質に応じたきめの細かい洗濯を行なう。
【００３６】
これによって、衣類の繊維を熱で傷めることなく、効果的に温度を上げ、汚れ落ちをよくすることができる。
【００３７】
このように本実施例によれば、水槽２１内に送風する温風の温度を任意に設定可能としたので、衣類の繊維の種類や汚れ程度に応じた衣類温度を設定することができる。
【００３８】
なお、上記実施例では、水槽２１の壁面に送風機１５の吸い込み口２２を開口しているが、上記実施例２に示すように、送風機１５の吸い込み口２３を水槽２４の壁面に開口せず、大気に開放したものでもよく、同様の作用効果を得ることができる。
【００３９】
（実施例４）
図３に示すように、水温検知センサ２５は、水槽２１に取り付け、水槽２１内に給水する水温を検知するものである。制御装置（制御手段）２６は、マイクロコンピュータなどにより構成し、モータ９、洗濯用給水弁（給水手段）１０、乾燥用給水弁１１、排水ポンプ（排水手段）１３、送風機（送風手段）１５、ヒータ（加熱手段）１７などを制御し、洗濯、すすぎ、脱水の一連の行程を逐次制御するよう構成し、水温検知センサ２５により検知した水槽２１内の水温が所定の温度（例えば、１０℃）以下のとき、水槽２１に温風を送風するようにしている。他の構成は上記実施例１と同じであり、同一符号を付して説明を省略する。
【００４０】
上記構成において動作を説明する。回転ドラム６内に衣類（洗濯物）を投入し、洗濯行程を開始すると、洗濯用給水弁１０を開き、水槽２１内に給水を開始する。給水量は水位検知手段（図示せず）によって検知し、所定の水位Ｐになると給水を停止し、回転ドラム６を約３０〜５０ｒ／ｍｉｎで駆動し、衣類を撹拌し、洗濯水を満遍なく衣類に吸水させる。
【００４１】
このとき、水温検知センサ２５によって検知した水温が所定の温度以下である場合、制御装置２６は送風機１５とヒータ１７とを駆動し、送風を加熱する。加熱された温風は、回転ドラム６内の衣類に吹き出し口１６から吹き付けられ、衣類および衣類内に含まれた水分を直接加熱する。
【００４２】
衣類に含まれた洗濯水は加熱されることにより、より高濃度の洗濯液となり、皮脂汚れなどの汚れを溶かし、洗い落ちやすくする。
【００４３】
このように本実施例によれば、水槽２１内に給水する水温が所定の温度以下のとき、水槽２１に温風を送風するようにしたので、冬期でも汚れ落ちのよい、経済的で使い勝手のよいドラム式洗濯機を提供することができ、水温が所定の温度以上のときは温風を送風しないので、ランニングコストを低減することができる。
【００４４】
なお、上記実施例では、水槽２１の壁面に送風機１５の吸い込み口２２を開口しているが、上記実施例２に示すように、送風機１５の吸い込み口２３を水槽２４の壁面に開口せず、大気に開放したものでもよく、同様の作用効果を得ることができる。
【００４５】
【発明の効果】
以上のように、請求項１に記載の発明によれば、洗濯行程にて、送風手段と加熱手段を駆動し、水槽内に温風を送風するよう構成したから、冬期などの冷たい水で洗濯を行う場合、水槽内に温風を送風することで、衣類の温度を所定の温度まで効率的に上げることができ、洗剤の溶け残りをなくし、衣類の汚れ落ちをよくすることができる。また、洗濯用の温水ヒータを別に設ける必要もなく、イニシャルコストを低減することができ、さらに、衣類に直接温風を吹き付けることにより、筐体や給水に熱量を必要以上に奪われることがなく、ランニングコストを低減することができる。
【図面の簡単な説明】
【図１】本発明の第１の実施例のドラム式洗濯機の縦断面図
【図２】本発明の第２の実施例のドラム式洗濯機の縦断面図
【図３】本発明の第４の実施例のドラム式洗濯機の縦断面図
【図４】従来のドラム式洗濯機の縦断面図
【符号の説明】
５  ドア
６  回転ドラム
１０  洗濯用給水弁（給水手段）
１３  排水ポンプ（排水手段）
１５  送風機（送風手段）
１７  ヒータ（加熱手段）
２０  制御装置（制御手段）
２１  水槽
【図１】
2004201775.tif 000003
【図２】
2004201775.tif 000004
【図３】
2004201775.tif 000005
【図４】
2004201775.tif 000006